(57)【要約】【課題】記憶媒体に記憶された多くの画像データを複数の縮小画像にして並べて表示しカーソル等の操作手段を用いて画像データを操作するユーザーインターフェイス表示装置及びその表示方法に関する。【解決手段】  表示画面を、少なくとも一つのアルバム部と、前記アルバム部に含まれた少なくとも少なくとも一つの画像を配置した画像配置部と、前記画像を保管するための画像保管部と、前記画像を前記画像保管部に移動する保管指示アイコンとを配し、前記一つのアルバムが選択されると、前記アルバムがその状態が非選択時とは異ならせてどのアルバムが選択されたか一見して分かるようにし、さらに、画像を日付等のデータにより分類して一覧表示する画像表示装置を提供する。   【選択図】  図１
2008117240.tif 000002
【特許請求の範囲】
【請求項１】
少なくとも３つに分割され、その３つは第１部位と第２部位と第３部位に分割された表示画面を備え、第１部位には少なくとも一つの画像を含むアルバムを含むアルバム部と、第２部位には前記アルバムに含まれた前記画像を配置した画像配置部と、第３部位には前記画像を保管するための画像保管部と、前記画像を前記画像保管部に移動する保管指示アイコンとを配し、前記一つのアルバムが選択されると、前記アルバムがその状態が非選択時とは異なる状態を示す画像表示装置。
【請求項２】
前記アルバムの状態とは、前記アルバムが選択された場合に、前記アルバムを回転乃至は点滅させる等させ、前記アルバムの状態が非選択時とは異なる状態を示すことを特徴とした請求項１に記載の画像表示装置。
【請求項３】
前記画像を前記画像保管部にドラッグアンドドロップ又は、前記保管指示アイコンの操作により、前記画像データを前記画像保管部に移動された場合に、前記画像の縮小画像が前記画像保管部に表示され、前記画像は画像配置部から複製されて残り、前記画像を複数回ドラッグアンドドロップ又は、前記保管指示アイコンを操作すると複数個の縮小画像が画像保管部に表示され、同一画像の場合は隣接して表示される請求項1に記載の画像表示装置。
【請求項４】
前記画像保管部に所定の数の縮小画像が表示されて始めて印刷及び印刷後の決済が許容されるよう表示される請求項３に記載の画像表示装置。
【請求項５】
前記画像保管部において前記縮小画像は、前記画像保管部内にて縮小画像枚数を加減算する加減指示アイコンを持ち、前記加減指示アイコンの操作により、縮小画像が複製又は、削除されることを特徴とする請求項３に記載の画像表示装置。
【請求項６】
少なくとも一つの画像データを配置する画像配置部を備え、前記画像配置部において前記画像データは、画像付加情報の日付等の情報を読取り、前記画像データを日付等の単位で前記画像配置部を切り替える表示切替手段を持ち、また、前記画像データの内、好みの画像を指示するブックマーク操作指示アイコンを持ち、前記画像データを前記好みの画像データと指示した前記画像データの一覧を前記画像配置部に表示する表示切替手段を持つ画像表示装置。
【請求項７】
少なくとも３つに分割され、その３つは第１部位と第２部位と第３部位に分割された表示画面に表示するステップと、第１部位には少なくとも一つの画像を含むアルバムを含むアルバム部を表示するステップと、第２部位には前記アルバムに含まれた前記画像を配置した画像配置部を表示するステップと、第３部位には前記画像を保管するための画像保管部を表示するステップと、前記一つのアルバムが選択されると、前記アルバムがその状態が非選択時とは異なる状態を示す可変ステップとを備えた画像表示方法。
【請求項８】
少なくとも一つの画像データを備えた画像配置部において、前記画像データは、画像付加情報の日付情報等を読取るステップと、前記画像データを日付単位で前記画像配置部を切り替える表示切替ステップと、前記画像データを好みの画像データとしてブックマークした前記画像データの一覧を前記画像配置部に表示する表示切替ステップを持つ画像表示方法。
【発明の詳細な説明】
【技術分野】
【０００１】
本発明は、記憶媒体に記憶された多くの画像データを複数の縮小画像にして並べカーソル等の操作手段を用いて画像データを含むアイコンを操作するユーザーインターフェイス表示装置及び表示方法に関する。
【背景技術】
【０００２】
従来、デジタルカメラで撮影した画像を検索するために、例えば、そのデジタルカメラが備える表示パネル、或いはデジタルカメラに接続された外部に表示装置に、撮影した画像を縮小させて複数並べて配置させる、いわゆるサムネイル表示を行うことがある。サムネイル表示した画像を別に設定した一時保管箱にドラックアンドドロップ操作を行って、ごみ箱や印刷用の写真を一時保管し、印刷予約処理や消去処理を行うことが下記の特許文献１に記載されている。  
【０００３】
しかし、サムネイル表示された画像は同一形状で碁盤目状に配置されており、特に初めて操作する人には保管箱に対してどのようにドラックアンドドロップ操作をして収納するのかよくわからず途方に迷うことも多々あった。また、画像が大量にある場合、どの画像を自分がドラックアンドドロップ操作を行ったか目視で判別がつかないため一時保管箱の中身を確認する必要があり、ユーザーに手間をかけることがあった。
【特許文献１】特開２００５−１５１１１５号公報
【発明の開示】
【課題を解決するための手段】
【０００４】
本発明の請求項１は少なくとも３つに分割され、その３つは第１部位と第２部位と第３部位に分割された表示画面を備え、第１部位には少なくとも一つの画像を含むアルバムを含むアルバム部と、第２部位には前記アルバムに含まれた前記画像を配置した画像配置部と、第３部位には前記画像を保管するための画像保管部と、前記画像を前記画像保管部に移動する保管指示アイコンとを配し、前記一つのアルバムが選択されると、前記アルバムがその状態が非選択時とは異なる状態を示す画像表示装置を提供するものであり、例えば写真データを印刷する場合等において、どのアルバムの画像を印刷するのか直感的に分かるようにした発明である。
【０００５】
本発明の請求項２は請求項１に従属し、前記アルバムの状態とは、前記アルバムが選択された場合に、前記アルバムを回転乃至は点滅させる等させ、前記アルバムの状態が非選択時とは異なる状態を示すことを特徴とした請求項１に記載の画像表示装置を提供するものである。
【０００６】
本発明の請求項３は請求項１に従属し、前記画像を前記画像保管部にドラッグアンドドロップ又は、前記保管指示アイコンの操作により、前記画像データを前記画像保管部に移動された場合に、前記画像の縮小画像が前記画像保管部に表示され、前記画像は画像配置部から複製されて残り、前記画像を複数回ドラッグアンドドロップ又は、前記保管指示アイコンを操作すると複数個の縮小画像が画像保管部に表示され、同一画像の場合は隣接して表示される画像表示装置を提供するものであり、例えば、前記画像を印刷する前に前記画像保管部に保管する際には同一画像を印刷する際にと隣接して配置するので他の画像と区別ができ、何枚印刷するかがよく分かるようにした発明である。
【０００７】
本発明の請求項４は請求項３に従属するもので前記画像保管部に所定の数の縮小画像が表示されて始めて印刷及び印刷後の決済が許容されるよう表示される画像表示装置を提供するもので所定枚数に達しないと印刷及び印刷後の決済させないもので、管理コストがかかるためできるだけまとめて印刷及び印刷後の決済させるようにした発明である。
【０００８】
本発明の請求項５は請求項３に従属するもので前記画像保管部において前記縮小画像は、前記画像保管部内にて縮小画像枚数を加減算する加減指示アイコンを持ち、前記加減指示アイコンの操作により、縮小画像が複製又は、削除されることを特徴とする請求項３に記載の画像表示装置を提供するものであり、前記画像保管部においた画像の加減を行う加減指示アイコンである。
【０００９】
本発明の請求項６は、少なくとも一つの画像データを配置する画像配置部を備え、前記画像配置部において前記画像データは、画像付加情報の日付等の情報を読取り、前記画像データを日付等の単位で前記画像配置部を切り替える表示切替手段を持ち、また、前記画像データの内、好みの画像を指示するブックマーク操作指示アイコンを持ち、前記画像データを前記好みの画像データと指示した前記画像データの一覧を前記画像配置部に表示する表示切替手段を持つ画像表示装置を提供するものであり、前記画像付加情報により前記画像配置部の表示を切り替えるモードを持つ発明である。
【００１０】
本発明の請求項７は、少なくとも３つに分割され、その３つは第１部位と第２部位と第３部位に分割された表示画面に表示するステップと、第１部位には少なくとも一つの画像を含むアルバムを含むアルバム部を表示するステップと、第２部位には前記アルバムに含まれた前記画像を配置した画像配置部を表示するステップと、第３部位には前記画像を保管するための画像保管部を表示するステップと、前記一つのアルバムが選択されると、前記アルバムがその状態が非選択時とは異なる状態を示す可変ステップとを備えた画像表示方法を提供するものである。
【００１１】
本発明の請求項８は、少なくとも一つの画像データを備えた画像配置部において、前記画像データは、画像付加情報の日付情報等を読取るステップと、前記画像データを日付単位で前記画像配置部を切り替える表示切替ステップと、前記画像データを好みの画像データとしてブックマークした前記画像データの一覧を前記画像配置部に表示する表示切替ステップを持つ画像表示方法を提供するものである。
【発明の効果】
【００１２】
本発明は複数あるアルバムにある画像を選んで印刷する際に、まず複数あるアルバムから1つのアルバムを選んで画像を画像保管部に移動させ、その際に選択されたアルバムがどれか分かるようにしている。また同一画像を数枚印刷させる場合にその画像保管部に配した縮小画像を印刷する枚数分隣接させて配し、さらに画像保管部で印刷枚数の加減をおこなう加減指示アイコンを設けており、使い勝手のよい画像表示装置を提供するものである、また、さらに印刷を行うために管理コストを下げるために印刷すべき枚数が所定枚数に達しなければ印刷をおこなわないようにし、特に広告付き写真のように広告の効果をだすためには１枚や２枚の枚数では管理コストもかかり、所定枚数以上でないと利益が上がらないので有効である。
【００１３】
さらに、日付単位で画像データを表示したり、好みの画像データとして指示してその一覧を表示することもできこともできるので画像データ整理上に有効である。ここで日付データ、好みの画像データとしてあげたが他のこと、たとえば被写体別、場所別等で整理してもよいことはいうまでもない。
【発明を実施するための最良の形態】
【００１４】
図１は本発明のブロック図を示し、本システムをつかさどる制御部を１としている。なお、前記制御部はハードディスク等の記憶部を有している。前記画像データを表示させる表示部２と、メディアスロット等の読取部を３、前記制御部のカーソル等の操作部を４とする。なお、ネットワークに繋がれている場合は、サーバを外部記憶部５として使用することができる。印刷は、印刷指示を受けた写真データを印刷部６が行う。なお、印刷部６は不図示のネットワークに繋がれていてもよい。
【００１５】
図２は、本ユーザーインターフェイス表示装置における前述の制御部１の作動を示すフローチャートである。まず、操作部４がアルバムを選択した場合を説明する、本ユーザーインターフェイス表示装置では、Ｓ１でＣＤ、サーバ等から画像データを受信し、Ｓ２で図１の３の読取部から画像データを図１の１の記憶部に伝達を行う。Ｓ３で図１の表示部２に、第１部位のアルバム部、第２部位に画像配置部、第３部位に画像保管部を表示する、なお、初期表示段階で一つのアルバム部を選択している状態でもよい。Ｓ４で図１の操作部４を操作し、制御部１は、Ｓ５でカーソルが第１部位の少なくとも一つのアルバムを選択すると、Ｓ６で示されているように選択されたアイコンの状態を変更させる。アルバムの状態の変更については後述の００１９で説明する。
【００１６】
図３は、本ユーザーインターフェイス表示装置における前述の制御部１の第２部位の画像データが、第３部位の画像保管部に移動された場合を示したフローチャートである。本ユーザーインターフェイス表示装置では、Ｓ７でＣＤ、サーバ等から画像データを受信し、Ｓ８で図１の３の読取部から画像データを記憶部に伝達を行う。Ｓ９で図１の表示部２に、第１部位のアルバム部、第２部位に画像配置部、第３部位に画像保管部を表示し、Ｓ１０で操作部４を操作し、第２部位の画像データを第３部位に移動させる、Ｓ１１で、第３部位に縮小画像を表示させる。Ｓ１２では操作部４で選択された第２部位の画像データが前述の画像データと同一であった場合は、Ｓ１３で示すように第３部位の画像保管部内に格納されている縮小画像に隣接して表示を行う。またＳ１２が同一でない場合は、Ｓ１４で示すように第３部位に格納されている縮小画像は異なる画像を隣接して表示させる。なお、Ｓ１０において、画像を移動させる手段としては、ドラックアンドドロップ操作や一時保管指示アイコンを操作することにより、選択された画像データを一時保管部に保管することは言うまでもない。
【００１７】
図４は、本ユーザーインターフェイス表示装置における前述の制御部１が印刷する画像データが所定枚数であるか否かを判別するフローチャートである。本ユーザーインターフェイス表示装置では、Ｓ１５でＣＤ、サーバ等から画像データを受信し、Ｓ１６で図１の３の読取部から画像データを記憶部に伝達を行う。Ｓ１７で図１の表示部２に、第１部位のアルバム部、第２部位に画像配置部、第３部位に画像保管部を表示し、Ｓ１８で操作部４を操作し、第２部位の画像データを第３部位に移動させる、Ｓ１９では第３部位に保管された縮小画像が所定枚数に達したか否かを判別し、所定枚数に達した場合は、Ｓ２０で示すように印刷指示アイコンを作動可能にし、もしくは表示させ、Ｓ２１で示すように所定枚数に達しない場合は、印刷可能アイコンを非作動可能にし、もしくは非表示の状態であり、縮小画像の枚数を確認させる機能を有しているアイコンを作動可能にし、もしくは表示させる。Ｓ２０において、第３部位内に残り何枚で印刷可能であるか否かを表示させておくとなお良い。
【００１８】
図５は、本ユーザーインターフェイス表示装置に係るコンピュータ上の画面を記述している。aはアルバム部を示し、ｂは画像配置部を示し、ｃは画像保管部を示している。ｄは印刷指示アイコンを示し、ｅは枚数確認アイコンを示している。前述の操作部４のカーソルがaのアルバムを選択すると、ｂ内の画像データが表示され、ｂ内の画像データを操作部４のカーソルでｃに移動させる。ｃ内の縮小画像が所定枚数に達するとｄを作動可能にし、表示される。またｅで枚数加減画面に遷移し枚数を所定枚数にしてもよい。
【００１９】
図６のｋは、前述のaのアルバムが選択された場合の形状を示している。選択されたアルバムは回転乃至は点滅等の色やアイコンの形状、傾斜角度のいずれか一つが変化し、選択されていないアルバムのアイコンと形状が異なる。また、アルバムの説明であるキャプションを表示するとなおよい。
【００２０】
図７は、前述のｃ内に保管されている縮小画像を表している。前述の操作部４のカーソルが縮小画像に触れると加減算を行うアイコンが表示される。iは減算アイコン、jは加算アイコンであり、前記アイコンを押下することによりｃ内の縮小画像枚数を加減することができる。
【００２１】
図８は、前述ｃ内の画像保管部を表しており、本図では所定枚数を３０枚と設定しており前述のｃ内に３０枚の縮小画像が保管されているのでｇは作動可能な状態である。また、ｈで示しているように所定枚数に達した場合に印刷可能表示を行ってもよく、所定枚数に達しない場合は、後何枚で印刷可能かを表示させるとなおよい。
【００２２】
図９、図１０は、請求項６に記載の本ユーザーインターフェイス表示装置に係るコンピュータ上の画面を記述している。Ｌが示しているのは、前記画像配置部の表示を切替える切替手段である。図９では、前記Ｌを前記操作部４のカーソルによってカレンダー表示アイコンを押下された場合に配置され、前記画像配置部が日付単位で配置される表示となっている。図１０は、前記Ｌを前記操作部４のカーソルによってお気に入りアイコンを押下された配置している、前記画像データをブックマークした前記画像データ一覧を前記画像配置部に表示している。また、本図の前記Ｌでは、図５の少なくとも３つに分割された表示画面に切替えができる切替手段を有していることは言うまでもない。
【図面の簡単な説明】
【００２３】
【図１】本発明に係るブロック図を示す。
【図２】本発明に係る主要ステップを示す。
【図３】本発明に係る主要ステップを示す。
【図４】本発明に係る主要ステップを示す。
【図５】本発明に係るコンピュータ上の画面を示す。
【図６】本発明に係るコンピュータ上の画面を示す。
【図７】本発明に係るコンピュータ上の画面を示す。
【図８】本発明に係るコンピュータ上の画面を示す。
【図９】本発明に係るコンピュータ上の画面を示す。
【図１０】本発明に係るコンピュータ上の画面を示す。
【符号の説明】
【００２４】
１・・・・制御部
２・・・・表示部
３・・・・読取部
４・・・・操作部
５・・・・サーバ
６・・・・印刷部
ａ・・・・アルバム部
ｂ・・・・画像配置部
ｃ・・・・画像保管部
ｄ・・・・印刷指示アイコン
ｅ・・・・枚数確認アイコン
ｋ・・・・アルバムが選択された場合の形状
ｉ・・・・減算アイコン
ｊ・・・・加算アイコン
ｈ・・・・縮小画像枚数表示部
ｇ・・・・印刷指示アイコン
Ｌ・・・・表示切替部
【図１】
2008117240.tif 000003
【図２】
2008117240.tif 000004
【図３】
2008117240.tif 000005
【図４】
2008117240.tif 000006
【図５】
2008117240.tif 000007
【図６】
2008117240.tif 000008
【図７】
2008117240.tif 000009
【図８】
2008117240.tif 000010
【図９】
2008117240.tif 000011
【図１０】
2008117240.tif 000012